【事件の表示】
　特願２００２−　８４０６６「優先呼出表示機能を備えたワイヤレスコールシステム及びこれに使用するワイヤレス呼出表示受信器」拒絶査定不服審判事件〔平成１５年１０月　３日出願公開、特開２００３−２８４１４８〕について、次のとおり審決する。
【結　論】
　本件審判の請求は、成り立たない。
【理　由】
１．手続きの経緯
　本願は、平成１４年３月２５日の出願であって、平成１８年３月２９日付けで拒絶査定がなされたところ、これに対して同年５月８日に拒絶査定に対する審判請求がなされるとともに、手続補正書が提出されたものである。
　
２．補正却下の決定
平成１８年５月８日に提出された手続補正書による補正の却下の決定
　
（１）［補正却下の決定の結論］
　平成１８年５月８日に提出された手続補正書による補正（以下、「本件補正」という。）を却下する。
　
（２）［補正却下の決定の理由］
（ａ）補正の内容
　本件補正によると、その特許請求の範囲の請求項１は、
「操作釦の操作により呼出信号を出力するワイヤレス発信器と、
　このワイヤレス発信器からの呼出信号を受信して、呼出信号を受信したワイヤレス発信器に対応する呼出情報を表示する表示部を備えたワイヤレス呼出表示受信器とを、少なくとも組み合わせて構成されるワイヤレスコールシステムにおいて、
　上記ワイヤレス呼出表示受信器は、優先呼出用ワイヤレス発信器から呼出信号を受信したときには、そのワイヤレス発信器に対応させた呼出情報を、特定の表示態様によって、通常のワイヤレス発信器からの呼出信号に対応した呼出情報を表示する表示部のうち、予め特定された表示窓に表示させる構成にしており、
　優先呼出表示の態様が、優先呼出情報を、通常の呼出情報に上書するようにして表示するものである、優先呼出表示機能を備えたワイヤレスコールシステム。」
と補正されている。　
　
　上記補正は、補正前の請求項２に記載した発明を特定するために必要な事項である「通常のワイヤレス発信器からの呼出信号に対応した呼出情報を表示する表示部に表示させる構成」に対し、「通常のワイヤレス発信器からの呼出信号に対応した呼出情報を表示する表示部のうち、予め特定された表示窓に表示させる構成」と限定するものであり、本件補正は、特許法第１７条の２第４項第２号に規定する特許請求の範囲の減縮を目的とするものに該当するといえる。
　そこで、本件補正後の前記請求項１に記載された発明（以下、「本願補正発明」という。）が、特許出願の際独立して特許を受けることができるものであるか（特許法第１７条の２第５項において準用する同法第１２６条第５項の規定に適合するか）否かについて以下検討する。
　
（ｂ）引用例
　原査定の拒絶の理由に引用された特開平８−２９７７８２号公報（以下、「引用例」という。）には、図とともに、以下のような記載がある。
　
（イ）「【０００１】
【産業上の利用分野】本発明は、ワイヤレスコールシステム及び表示ユニットの改良に係り、更に詳しくは、飲食店等において、各座席に設置されたワイヤレス発信器から発信されたサービスの要求を呼出順に表示して店員に知らせる場合などに好適に使用されるワイヤレスコールシステム及び表示ユニットの改良に関する。」（段落【０００１】第３頁第４欄第４８行〜第４頁第５欄第４行）
　
（ロ）「【００４１】
【実施例】本発明によるワイヤレスコールシステムは、図１６に示した従来のワイヤレスコールシステムと同様に、複数のワイヤレス発信器１とワイヤレス受信器２とにより構成される。上記ワイヤレス発信器１は、レストランのお客様用の各テーブルに設置され、お客様がウエイトレス等の接客者に対してサービスを要求する際に上記ワイヤレス発信器１の押釦を操作すると、上記ワイヤレス発信器からＩＤコード含む呼出制御信号がワイヤレス送信される。上記ワイヤレス受信器２は、上記呼出制御信号を受信して、表示器に所定の表示を行って、接客者に呼出のあったことを知らせる。」（段落【００４１】第７頁第１２欄第３６行〜第４７行）
　
（ハ）「【００５０】次に、請求項２に記載した本発明によるワイヤレスコールシステムの動作の一例を図４及び図５を用いて説明する。図４は、各ワイヤレス発信器に割り当てられたＩＤコード、表示データ及び窓特定信号を示している。ＶＩＰルームのテーブル１〜３は、表示器２ａに優先的に表示される様に、窓特定信号としてそれぞれ１〜３が割り当てられている。ここで、窓特定信号とは、表示すべき表示窓を指定する信号である。
【００５１】図５は、図４に示した条件の下で、呼出制御信号の受信に伴って変化する呼出表示処理メモリ２４内の受信順位データと、その時の表示器２ａの表示の様子を示した図である。図中の（ａ）は、一般席３からの呼出制御信号が受信され、続いて一般席１から呼出制御信号が受信された後の様子を示しており、表示データＦ及びＤが表示器２ａに表示されている。ここで、最初の３つの表示窓は、ＶＩＰルーム１〜３専用の表示窓であるため、４番目の表示窓からＦ、Ｄの順で表示されている。
【００５２】図中の（ｂ）は、ＶＩＰルーム２からの呼出制御信号が受信された後の様子を示している。ＶＩＰルーム２のワイヤレス発信器は、２番目の表示窓の窓特定信号を含んでいるため、２番目の表示窓にＶＩＰルーム２の表示データ「Ｂ」が表示される。図中の（ｃ）は、一般席２からの呼出制御信号が受信された場合であり、表示データ「Ｅ」は、「Ｄ」の後ろに表示される。
【００５３】図中の（ｄ）は、更に、ＶＩＰルーム１からの呼出制御信号が受信された場合であり、１番目の表示窓の窓特定信号を含んでいるため、１番目の表示窓にＶＩＰルーム１の表示データ「Ａ」が表示される。ここで、受信順位データは、上記呼出表示処理回路２２が、呼出制御信号を受信した順に従って、呼出表示処理メモリ２４に書き込まれているが、呼出表示処理回路２２から出力される表示処理データに窓特定信号が追加されているため、表示データ整列処理部２５が、この窓特定データに基づいて、表示データを整列して図５に示したような表示を行う。
【００５４】ワイヤレス受信器２をこの様な構成とすることにより、ＶＩＰルーム等の優先度高いテーブルからの呼出表示は、常に最前列に表示させることができるため、一般席に優先して対応することが可能となる。」（段落【００５０】〜【００５４】第８頁第１４欄第２１行〜第９頁第１５欄第１０行）
　
（ニ）「次に、請求項４に記載した本発明によるワイヤレスコールシステムの動作の一例を図８を用いて説明する。この図は、呼出制御信号の受信に伴って変化する呼出表示処理メモリ２４内の受信順位データ及び優先表示フラグと、その時の表示器２ａの表示の様子を示した図である。
【００６１】図中の（ａ）は、ＩＤコード／表示データ登録テーブル２３及び呼出表示処理メモリ２４の内容をまとめて表したものであり、呼出表示処理メモリ２４には、受信順位データに加えて、優先順位表示フラグを格納することができる。ここでは、ＩＤコード「１００１」に対応したメモリ領域の優先表示フラグが１となっている。この場合、受信順位に従って表示器２ａには４、１、５、３の順に表示データが表示される。
【００６２】図中の（ｂ）は、ＩＤコード「１００１」の呼出制御信号が受信された後の様子を示している。この呼出制御信号は、優先表示フラグを含んでいるため、表示データ「２」に対応する受信順位データと優先表示フラグが書き込まれる。表示器２ａは、優先表示フラグを有する「４」、「２」が受信順位に従って表示されるとともに、その後ろに、優先表示フラグを含まない「１」、「５」、「３」が順に表示される。即ち、優先表示フラグを有する呼出信号に対応する表示データ「２」は、優先表示フラグを含まない表示データに割り込んで、優先的に表示される。
【００６３】図中の（ｃ）は、更に、ＩＤコード「１０１０」の呼出制御信号が受信された場合の様子を示している。この呼出制御信号は、優先表示フラグを含んでいないため、ＩＤコード「１０１０１」に対応する呼出表示処理メモリ２４の領域には、受信順位データのみが書き込まれ、これに対応する表示データ「６」が呼出表示の最後尾、即ち、表示データ「３」の次の表示窓に表示される。
【００６４】ここで、受信順位データは、上記呼出表示処理回路２２が、呼出制御信号を受信した順に従って、呼出表示処理メモリ２４に書き込まれているが、呼出表示処理回路２２から出力される表示処理データに優先順位データが追加されているため、表示データ整列処理部２５が、この窓エリア特定データに基づいて、表示データを整列して図８に示したような表示を行う。
【００６５】ワイヤレス受信器２をこの様な構成とすることにより、ＶＩＰルームなどに対応する優先すべき表示とそれ以外の一般の表示とを区別しつつ、各々を表示する表示窓を固定することなく、端から順に表示することができる。従って、ウエイトレス等の接客者が表示器２ａの表示を見た場合に、表示されているテーブルがＶＩＰルームであるか否かを考慮することなく、表示された順に接客を行うだけで、ＶＩＰルームが優先してサービスを受けられる。」（段落【００６０】〜【００６５】第９頁第１６欄第６行〜第１０頁第１７欄第４行）
　
　以上の記載によれば、この引用例には以下のような発明（以下、「引用例発明」という。）が開示されていると認められる。
　
「押釦を操作するとＩＤコードを含む呼出制御信号を出力するワイヤレス発信器１と、
　このワイヤレス発信器１からの呼出制御信号を受信して、受信した呼出制御信号を出力したワイヤレス発信器１に対応する表示データを表示する表示器２ａを備えたワイヤレス受信器２により構成されるワイヤレスコールシステムにおいて、
　上記ワイヤレス受信器２は、呼出制御信号を受信したときには、受信順位に従って表示器２ａの表示窓に順に表示するが、受信した呼出制御信号が優先表示フラグを含むワイヤレス発信器１であるときには、当該ワイヤレス発信器に対応させた表示データを、呼出制御信号が優先表示フラグを含まないワイヤレス発信器１に対応させた表示データに割り込ませることにより、表示器２ａのうちの呼出制御信号が優先表示フラグを含まないワイヤレス発信器１に対応させた表示データを表示している表示窓より優先順位の高い表示窓に表示させる構成にしたワイヤレスコールシステム。」　
　
（ｃ）対　比
　本願補正発明と引用例発明とを対比すると、引用例発明における「押釦」、「ＩＤコードを含む呼出制御信号」及び「ワイヤレス発信器１」は、それぞれ本願補正発明の「操作釦」、「呼出信号」及び「ワイヤレス発信器」に相当する。
　そして、引用例発明の「受信した呼出制御信号を出力したワイヤレス発信器１に対応する表示データ」は、本願補正発明の「呼出信号を受信したワイヤレス発信器に対応する呼出情報」及び「ワイヤレス発信器からの呼出信号に対応した呼出情報」に相当し、引用例発明の「ワイヤレス受信器２」、「表示器２ａ」及び「表示窓」は、それぞれ本願補正発明の「ワイヤレス呼出表示受信器」、「表示部」及び「表示窓」に相当し、引用例発明の「ワイヤレスコールシステム」は、本願補正発明の「ワイヤレス発信器と、このワイヤレス発信器からの呼出信号を受信して、呼出信号を受信したワイヤレス発信器に対応する呼出情報を表示する表示部を備えたワイヤレス呼出表示受信器とを、少なくとも組み合わせて構成されるワイヤレスコールシステム」に相当するといえる。
　また、引用例発明の「呼出制御信号が優先表示フラグを含むワイヤレス発信器１」及び「呼出制御信号が優先表示フラグを含まないワイヤレス発信器１」は、本願補正発明「優先呼出用ワイヤレス発信器」及び「通常のワイヤレス発信器」に相当する。
　そして、引用例発明の「受信した呼出制御信号が優先表示フラグを含むワイヤレス発信器１であるときには、当該ワイヤレス発信器に対応させた表示データを、呼出制御信号が優先表示フラグを含まないワイヤレス発信器１に対応させた表示データに割り込ませることにより、表示器２ａのうちの呼出制御信号が優先表示フラグを含まないワイヤレス発信器１に対応させた表示データを表示している表示窓より優先順位の高い表示窓に表示させる」と、本願補正発明の「優先呼出用ワイヤレス発信器から呼出信号を受信したときには、そのワイヤレス発信器に対応させた呼出情報を、特定の表示態様によって、通常のワイヤレス発信器からの呼出信号に対応した呼出情報を表示する表示部のうち、予め特定された表示窓に表示させる構成にしており、優先呼出表示の態様が、優先呼出情報を、通常の呼出情報に上書するようにして表示する」とは、「優先呼出用ワイヤレス発信器から呼出信号を受信したときには、そのワイヤレス発信器に対応させた呼出情報を、特定の表示態様によって、通常のワイヤレス発信器からの呼出信号に対応した呼出情報を表示する表示部の表示窓に表示させる構成にしており、優先呼出表示の態様が、優先呼出情報を、通常の呼出情報に優先するようにして表示する」点で対応している。
　
　そうすると、両者は、
「操作釦の操作により呼出信号を出力するワイヤレス発信器と、
　このワイヤレス発信器からの呼出信号を受信して、呼出信号を受信したワイヤレス発信器に対応する呼出情報を表示する表示部を備えたワイヤレス呼出表示受信器とを、少なくとも組み合わせて構成されるワイヤレスコールシステムにおいて、
　上記ワイヤレス呼出表示受信器は、優先呼出用ワイヤレス発信器から呼出信号を受信したときには、そのワイヤレス発信器に対応させた呼出情報を、特定の表示態様によって、通常のワイヤレス発信器からの呼出信号に対応した呼出情報を表示する表示部の表示窓に表示させる構成にしており、
　優先呼出表示の態様が、優先呼出情報を、通常の呼出情報に優先するようにして表示するものである、優先呼出表示機能を備えたワイヤレスコールシステム。」
で一致するものであり、次の点で相違している。
　
　本願補正発明が「優先呼出用ワイヤレス発信器から呼出信号を受信したときには、そのワイヤレス発信器に対応させた呼出情報を、特定の表示態様によって、通常のワイヤレス発信器からの呼出信号に対応した呼出情報を表示する表示部のうち、予め特定された表示窓に表示させる構成にしており、優先呼出表示の態様が、優先呼出情報を、通常の呼出情報に上書するようにして表示する」のに対し、引用例発明は、優先呼出情報を表示する表示窓を、通常の呼出情報を表示する表示器２ａのうちの予め特定された表示窓とするものではなく、優先呼出表示の態様が、優先呼出情報を、通常の呼出情報に割り込ませて表示するものである点。
　
（ｄ）当審の判断
　複数の情報を表示する表示方式において、予め特定された表示窓に選択的に優先情報を表示することは常套手段（特開平１−１００６９５号公報参照）であり、引用例には、優先情報を受信順に表示するのではなく、優先情報を表示すべき表示窓を予め指定することも記載されている（記載事項（ハ））。
　そうすると、引用例発明において、優先呼出情報を表示する表示窓を、通常の呼出情報を表示している表示窓より優先順位を高くし、受信順位により特定しているのに代え、優先呼出情報を表示する表示窓を、通常の呼出情報を表示する表示部のうちの「予め特定された表示窓」とすることは、当業者が容易になし得ることである。
　また、集中監視システムの表示方式において、優先度の低い表示情報の表示中に優先度が高い表示情報を受信したとき、優先度の低い表示情報の表示に代え、受信した優先度が高い表示情報を表示することは本出願前周知（上記特開平１−１００６９５号公報、特開昭６２−３８９９５号公報参照）である。
　したがって、優先呼出表示の態様を、引用例発明の「優先呼出情報を、通常の呼出情報に割り込ませて表示する」のに代えて、「優先呼出情報を、通常の呼出情報に上書するようにして表示する」ように変更することは、当業者が必要に応じて適宜なしうる設計的事項にすぎない。
　　
　また、前記相違点により奏される効果は当業者であれば引用例発明及び周知技術から予想できる範囲内のものである。
　
（ｅ）結論
　そうすると、本願補正発明は、引用例発明及び周知技術に基づいて当業者が容易に発明をすることができたものであるから、特許法第２９条第２項の規定により、特許出願の際独立して特許を受けることができないものである。
 したがって、本件補正は、特許法第１７条の２第５項において準用する同法第１２６条第５項の規定に適合しないから、特許法第１５９条第１項で準用する特許法第５３条第１項の規定により却下すべきものである。　
　
３．本願発明
　上記のとおり、上記本件補正は却下されたので、本願請求項２に係る発明（以下、「本願発明」という。）は、平成１７年３月２２日に提出された手続補正書における特許請求の範囲の請求項２に記載された事項により特定される、以下のとおりのものである。
　
「操作釦の操作により呼出信号を出力するワイヤレス発信器と、
　このワイヤレス発信器からの呼出信号を受信して、呼出信号を受信したワイヤレス発信器に対応する呼出情報を表示する表示部を備えたワイヤレス呼出表示受信器とを、少なくとも組み合わせて構成されるワイヤレスコールシステムにおいて、
　上記ワイヤレス呼出表示受信器は、優先呼出用ワイヤレス発信器から呼出信号を受信したときには、そのワイヤレス発信器に対応させた呼出情報を、特定の表示態様によって、通常のワイヤレス発信器からの呼出信号に対応した呼出情報を表示する表示部に表示させる構成にしており、
　優先呼出表示の態様が、優先呼出情報を、通常の呼出情報に上書するようにして表示するものである、優先呼出表示機能を備えたワイヤレスコールシステム。」
　
４．引用例
　原査定の拒絶理由に引用された引用例、及びその記載事項は、前記「２．（２）（ｂ）」に記載したとおりである。
　
５．対比
　本願発明は、前記２．で検討した本願補正発明の「通常のワイヤレス発信器からの呼出信号に対応した呼出情報を表示する表示部のうち、予め特定された表示窓に表示させる構成」から限定を省き、「通常のワイヤレス発信器からの呼出信号に対応した呼出情報を表示する表示部に表示させる構成」とするものである。
　そうすると、本願発明の構成要件を全て含み、さらに限定したものに相当する本願補正発明が前記２．に記載したとおり、引用例発明及び周知技術に基づいて、当業者が容易に発明をすることができたものであるから、本願発明も同様の理由により、引用例発明及び周知技術に基づいて、当業者が容易に発明をすることができたものである。
　
６．むすび
　以上のとおり、本願請求項２に係る発明は、引用例発明及び周知技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。